(57)【特許請求の範囲】
【請求項１】
精米室の内部に水平に設置された搗精ロールの周りに上記精米室に支持された筒状の精米スクリーンを嵌合し、上記精米室の上部に設けた精米調整装置に調整板を設け、上記精米スクリーンの排出口を閉塞する抵抗板を支持アームの下端部に取付け、該支持アームの上端部を上記の調整板に該抵抗板の板面を含む面内で回動可能となるように取付け、上記の支持アームと抵抗板を含む上記精米室の前面をカバーする白米案内樋を該精米室の前面に着脱自在に取付けてなる精米機において、上記白米案内樋の上記支持アームの回転中心より高い位置に干渉部を設け、上記支持アームが上方に回動された状態では該干渉部が上記支持アームと干渉して該白米案内樋の取付けを不可能にすることを特徴とする精米機。
【請求項２】
上記の干渉部が、上記の白米案内樋の上端壁により形成されたことを特徴とする請求項１に記載の精米機。
【請求項３】
上記の干渉部が、上記の白米案内樋の上端においてその両側壁間に設けたバーにより形成されたことを特徴とする請求項１に記載の精米機。
【発明の詳細な説明】
【０００１】
【発明の属する技術分野】
この発明は、一般家庭等で用いられる簡便な精米機に関し、特に使用者による手入れ時の誤セットを防止する構造に関するものである。
【０００２】
【従来の技術】
一般家庭等で用いられる簡便な精米機は、例えば実開昭６３−１６８３９号公報に見られるように、精米室の内部に水平に設置された搗精ロールの周りに上記精米室に支持された筒状の精米スクリーンを嵌合している。更に、精米調整装置に調整板を設けると共に、上記精米スクリーンの排出口を閉塞する抵抗板を支持アームの下端部に取付け、該支持アームの上端部を上記の調整板に対し該抵抗板がその板面を含む面内で回動可能となるように回動ピンにより取付けるようにしている。
【０００３】
また、上記精米室の前面をカバーする白米案内樋を着脱自在に取付け、その白米案内樋により前記の排出口と抵抗板との間隙から排出される白米を白米受けケースにガイドする構成も知られている。
【０００４】
上記のような精米機において、使用者が内部の清掃等の手入れを行うときは、白米案内樋を外すと共に、支持アームを抵抗板と共に上方に回動させ、精米スクリーンの排出口を開放させて行う。
【０００５】
【発明が解決しょうとする課題】
上記のような手入れを終えると、元通り正しくセットし直されなければならないが、支持アームと抵抗板を元の状態に戻すことを失念し、これを上方に回動させたまま白米案内樋をセットする恐れがある。その誤セットに気付くことなく次回の精米を行うと、当然のことながら正常な精米を行うことはできない。
【０００６】
上記の誤セットに気付かない一つの要因は、白米案内樋の上端面が開放されているため、上記の支持アームが下向きであっても、上向きであっても白米案内樋をセットできることが原因であると考えられる。
【０００７】
そこで、この発明は支持アームが元の状態に戻されない限り白米案内樋の取付けができないようにして、使用者に誤セットを気付かせるようにすることを課題とする。
【０００８】
【課題を解決するための手段】
上記の課題を解決するために、この発明は、精米室の内部に水平に設置された搗精ロールの周りに上記精米室に支持された筒状の精米スクリーンを嵌合し、上記精米室の上部に設けた精米調整装置に調整板を設け、上記精米スクリーンの排出口を閉塞する抵抗板を支持アームの下端部に取付け、該支持アームの上端部を上記の調整板に対し該抵抗板がその板面を含む面内で回動可能となるように取付け、上記の支持アームと抵抗板を含む上記精米室の前面をカバーする白米案内樋を該精米室の前面に着脱自在に取付けてなる精米機において、上記白米案内樋のに上記支持アームの回転中心より高い位置に干渉部を設け、上記支持アームが上方に回動された状態では該干渉部が上記の支持アームと干渉して該白米案内樋の取付けを不可能にするようにした。
【０００９】
上記の干渉部としては、白米案内樋に形成した上端壁をもって干渉部としたり、白米案内樋の上端においてその両側壁間に設けたバーにより干渉部としたりすることができる。
【００１０】
【発明の実施の形態】
以下、この発明の実施の形態を添付図面に基づいて説明する。まず、図１から図３に基づいて精米機の全体を説明する。
【００１１】
精米機はこれらの図面に示すように、ケーシング１１の底部に基台１２を設け、その内部にモーター１３を設置し、その基台１２上に精米機本体１４の軸受部１５を固定している。軸受部１５に水平方向に主軸１６（図２参照）が回転自在に支持され、モーター１３の回転をベルト１７とプーリー１８で該主軸１６に伝達するようにしている。
【００１２】
上記の精米機本体１４の軸受部１５の前部に玄米供給部１９が設けられ、該玄米供給部１９はケーシング１１のホッパー２１に連通している。またその玄米供給部１９の前方にこれと連通した精米室２２が設けられる。精米室２２の下端は開放されてぬか排出口２３となり、また該精米室２２の前端も開放されるが、その前端開放部にはスクリーン押さえ板２４が取外し自在に固定される。
【００１３】
上記の主軸１６の前部にこれと同軸かつ一体に搗精ロール２６が設けられる。搗精ロール２６は主軸１６側に小ピッチの送りら旋により送米部２７が設けられ、その送米部２７の前端に大ピッチの逆送りら旋により搗精部２７’が設けられる。
【００１４】
上記の精米室２２において搗精ロール２６の周りに六角筒状の精米スクリーン２８が所定の隙間をもって嵌合される。精米スクリーン２８の後端が前記の玄米供給部１９に向けて開放されている。また精米スクリーン２８の前端部はスクリーン押さえ板２４に設けられた６角形の係止穴３１に挿入係止される。
【００１５】
上記の係止穴３１に挿入された精米スクリーン２８の排出口３０は、円板形の抵抗板３２が接離自在に閉鎖しており、その抵抗板３２は中心部を取付けピン２０により支持アーム３３の下端に取付けられる。支持アーム３３の上端部は、Ｌ形に屈曲した調整板３４の前端面に回動ピン２９により連結され、該支持アーム３３は抵抗板３２の板面を含む面内で回動自在となっている。
【００１６】
上記の精米スクリーン２８の排出口３０と抵抗板３２及び支持アーム３３を囲こむ白米案内樋３８がスクリーン押さえ板２４に着脱自在に取付けられる。白米案内樋３８は、図４及び図５（ａ）に示すように、前記のスクリーン押さえ板２４と平行な平面の前面壁４２、両側壁４３、４３とにより上下方向の案内溝４４が形成される。白米案内樋３８の上端は、前記の回動ピン２９より上部の調整板３４の水平部上に達するように形成され（図３参照）、その上端に上記の案内溝４４を閉塞する上端壁４５が設けられる。この上端壁４５が、後述のように、支持アーム３３に対する干渉部となって、誤セットを使用者に気付かせる作用をなす。
【００１７】
上記の案内溝４４の下端に斜め下方に屈曲した出口部４６が設けられる。また、両側壁４３、４３の内側縁に係止突起４７、４７が形成され、各係止突起４７がスクリーン押さえ板２４の係止穴４８、４８に着脱自在に係合される（図４参照）。
【００１８】
なお、干渉部の他の例として、図５（ｂ）に示すように、上記の白米案内樋３８の上端においてその両側壁４３、４３間に設けたバー４５’をもってその干渉部とすることができる。
【００１９】
上記の案内溝４４は、精米機本体１４に取り付けられた状態で、スクリーン押さえ板２４により内面が閉塞される。出口部４６の内面は開放されたままである。
【００２０】
なお、図４に示すように、支持アーム３３の両側において、スクリーン押さえ板２４に一対の位置決め片４９、４９が前方に突き出して設けられ、これにより支持アーム３３の左右方向への移動を阻止するようにしている。支持アーム３３を回動させるときは、抵抗板３２、支持アーム３３及び調整板３４を、該調整板３４に加えられた付勢力に抗して前方に引き出し、各位置決め片４９を越えたところで一点鎖線のように半回転させ、回転後上記の付勢力により後退させる。後退した支持アーム３３は調整板３４の前面に設けられた係止突起５１に係止され、上向きに回動した姿勢に保持される（図４（ａ）の二点鎖線参照）。
【００２１】
精米機本体１４の下方において、ケーシング１１の底面に左右一対のぬか受けケース３９と白米受けケース４０とがケーシング１１の前方から出し入れ自在に収納され、前記のぬか排出口２３がぬか受けケース３９上に臨み、また白米案内樋３８の出口部４６が白米受けケース４０上に臨む。
【００２２】
精米機本体１４の精米室２２の上部には精米調整装置３５が設けられる。精米調整装置３５の詳細は図３に示す通りである。即ち、この精米調整装置３５は精米機本体１４に固定された固定フレーム５２を有する。この固定フレーム５２は、水平固定部５３の後端部を上向きに屈曲して後部支持部５４が設けられ、前端部を上向きに屈曲して前部支持部５５が設けられる。また前部支持部５５の上端を後方に屈曲させ、一定角度を持った傾斜取付け部５６が設けられる。
【００２３】
上記の支持部５４、５５の間にガイド棒５７が前後方向に水平に取付けられる。また、上記の前部支持部５５の下端部に左右方向のスリット５８が設けられ、そのスリット５８に前記の調整板３４が挿通される。調整板３４の後端部を上向きに屈曲させてガイド部５９を設け、そのガイド部５９を後部支持部５４の内側においてガイド棒５７にスライド自在に嵌合している。また、その調整板３４の中程に上向きの切り起こしによるガイド補助部５９’が設けられ、そのガイド補助部５９’もガイド棒５７にスライド自在に嵌合される。上記のガイド部５９とガイド補助部５９’とにより調整板３４が水平に維持された状態で前後方向への移動がガイドされ、かつスリット５８の部分で移動が阻止される。調整板３４は、前記の支持アーム３３が位置決め片４９を越えるに必要な分だけ前方に移動することができる。
【００２４】
また、上記のガイド棒５７にスライダー６１が前後方向にスライド自在に取付けられる。スライダー６１は下向きコの字状に屈曲形成されたものであり、その後端屈曲部６２と前端屈曲部６３をそれぞれガイド棒４７に挿通し、その後端屈曲部６２と前記のガイド部５９との間に第１コイルばね６４が介在され、また、前端屈曲部６３と前記の前部支持部５５との間に第２コイルばね６５が介在される。またスライダー６１の前端屈曲部６３の上端に切り起こしによるカム当て部６６を設け、そのカム当て部６６の後ろ向き面に調整カム６７を押し当て、この調整カム６７によりスライダー６１の位置を定め、その位置に応じて第１コイルばね６４の伸縮量を調整するようになっている。第２コイルばね６５はスライダー６１のカム当て部６６を調整カム６７に押し当てる作用をなす。
【００２５】
上記調整カム６７の回動軸６８の上端部にケーシング１１の前面傾斜部から調整ダイヤル７１が差し込まれる。
【００２６】
使用者が調整ダイヤル７１により精米度合いを設定すると、その設定度合いに応じて第１コイルばね６４が伸縮され、その押圧力が調整板３４に付与され、支持アーム３３を介して抵抗板３２に伝達され、抵抗板３２は上記の押圧力をもって精米スクリーン２８の排出口３０を閉塞する。これにより、所定の精米度合いで精米された米が排出口３０から排出される。
【００２７】
上記のような精米機の内部を清掃等に必要から使用者が手入れを行うときは、白米案内樋３８をスクリーン押さえ板２４から取り外す。次に、抵抗板３２を把持して前方に引き出すと、その抵抗板３２と一体の支持アーム３３、調整板４３が、第１コイルばね６４を圧縮しつつ前方に移動し、位置決め片４９を越えた時点で支持アーム３３を上向きに半回転させ、上記の第１コイルばね６４のばね力で後退させる。その支持アーム３３を係止突起５１に係止させ、上向きの状態に保持させた状態（図４（ａ）の二点鎖線参照）で所要の手入れを行う。
【００２８】
手入れを完了すると、支持アーム３３と抵抗板３２、及び白米案内樋３８を元の状態にセットする。このとき、支持アーム３３と抵抗板３２を元の状態に戻すことを失念して、白米案内樋３８のみをセット使用とすると、白米案内樋３８の干渉部である上端壁４５（又はバー４５’）が支持アーム３３に干渉し（図３の二点鎖線参照）、これをセットすることができない。このため、使用者は誤セットに気付き、正しくセットし直すことになる。支持アーム３３を下向きに回動させて抵抗板３２により精米スクリーン２８の排出口３０を正しく閉塞させると、白米案内樋３８は何にも干渉することなく取付けられる。
【００２９】
【発明の効果】
以上のように、この発明によれば、精米スクリーンの排出口に取付けられる抵抗板とその抵抗板の支持アームを調整板に対して回動自在に取り付けた構成をとった場合において、精米機の手入れに際して使用者がこれを元の状態にセットすることを失念したとしても、白米案内樋を取付ける際にその誤セットに気付かせ、正常な状態にセットさせることができる。
【図面の簡単な説明】
【図１】実施形態の精米機の一部斜視図
【図２】同上の一部省略断面図
【図３】同上の精米調整装置部分の拡大断面図
【図４】（ａ）同上の精米調整装置部分の拡大斜視図
（ｂ）（ａ）図の部分の組み立て状態の断面図
【図５】（ａ）同上の白米案内樋の斜視図
（ｂ）白米案内樋の変形例の一部斜視図
【符号の説明】
１１  ケーシング
１２  基台
１３  モーター
１４  精米機本体
１５  軸受部
１６  主軸
１７  ベルト
１８  プーリー
１９  玄米供給部
２０  取付けピン
２１  ホッパー
２２  精米室
２３  ぬか排出口
２４  スクリーン押さえ板
２６  搗精ロール
２７  送米部
２７’  搗精ロール部
２８  精米スクリーン
２９  回動ピン
３０  排出口
３１  係止穴
３２  抵抗板
３３  支持アーム
３４  調整板
３５  精米調整装置
３８  白米案内樋
３９  ぬか受けケース
４０  白米受けケース
４２  前面壁
４３  側壁
４４  案内溝
４５  上端壁
４６  出口部
４７  係止突起
４８  係止穴
４９  位置決め片
５１  係止突起
５２  固定フレーム
５３  水平固定部
５４  後部支持部
５５  前部支持部
５６  傾斜取付け部
５７  ガイド棒
５８  スリット
５９  ガイド部
５９’  ガイド補助部
６１  スライダー
６２  後部屈曲部
６３  前部屈曲部
６４  第１コイルばね
６５  第２コイルばね
６６  カム当て部
６７  調整カム
６８  回動軸
７１  調整ダイヤル
【図１】
0003618582.tif 000002
【図２】
0003618582.tif 000003
【図３】
0003618582.tif 000004
【図４】
0003618582.tif 000005
【図５】
0003618582.tif 000006